(57)【要約】【課題】移動体通信網への接続に関する新規なシステムの提供。【解決手段】通信システム１によれば、一加入者電話番号に対して、複数のＳＩＭカード１００が電話加入者に提供されることを前提として、通信制御局３０が、これらＳＩＭカード１００を装着する複数の携帯電話端末５０の管理を行う。具体的に、制御ユニット３１は、携帯電話端末から移動体通信網の利用要求を受信すると、要求元携帯電話端末による移動体通信網の利用を許可する一方、記憶ユニット３３が記憶する加入者データベース３９に基づき、要求元携帯電話端末の加入者データに登録されている他のＳＩＭカード１００を装着する携帯電話端末に対し、移動体通信機能をオフに切り替えるように指令入力する。これにより、該当携帯電話端末による移動体通信網への接続を禁止する。【選択図】図１
2014050089.tif 000002
【特許請求の範囲】
【請求項１】
移動体通信網を通じた外部装置との通信機能である移動体通信機能を有し、搭載された加入者識別モジュール（ＳＩＭ）に記された加入者識別コードを自端末の前記加入者識別コードとして用いて、前記移動体通信網を通じた前記外部装置との通信を行う移動体通信端末
を管理する管理システムであって、
一加入者に対応する加入者識別コード群として、この加入者に与えられた複数の前記加入者識別モジュールの夫々に記された前記加入者識別コードを記憶する記憶手段と、
前記記憶手段が記憶する前記加入者識別コード群のうちの一つの加入者識別コードによる前記移動体通信網を通じた前記外部装置との通信を許可する一方、他の加入者識別コードによる前記移動体通信網を通じた前記外部装置との通信を禁止する制御手段と、
を備えることを特徴とする管理システム。
【請求項２】
前記制御手段は、前記他の加入者識別コードが記された前記加入者識別モジュール（ＳＩＭ）を搭載した前記移動体通信端末に対し、前記移動体通信機能をオフに切り替えるように指令入力することにより、前記他の加入者識別コードによる前記移動体通信網を通じた前記外部装置との通信を禁止すること
を特徴とする請求項１記載の管理システム。
【請求項３】
移動体通信網を通じた外部装置との通信機能である移動体通信機能を有し、搭載された加入者識別モジュール（ＳＩＭ）に記された加入者識別コードを自端末の前記加入者識別コードとして用いて、前記移動体通信網を通じた前記外部装置との通信を行う移動体通信端末であって、
請求項１又は請求項２記載の管理システムから入力される指令に従って、前記移動体通信機能をオフに設定する機能停止手段
を備えることを特徴とする移動体通信端末。
【発明の詳細な説明】
【技術分野】
【０００１】
本発明は、移動体通信端末を管理する管理システム及び移動体通信端末に関する。
【背景技術】
【０００２】
従来、移動体通信端末としては、ＳＩＭ（Ｓｕｂｓｃｒｉｂｅｒ  Ｉｄｅｎｔｉｔｙ  Ｍｏｄｕｌｅ：加入者識別モジュール）カードを脱着可能なスロットを有し、このスロットに装着されたＳＩＭカードに記された国際移動体加入者識別コード（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を自端末の加入者識別コードとして用いて、移動体通信網を通じた外部装置との通信を行う移動体通信端末が知られている。移動体通信網としては、ＧＳＭ（登録商標：Ｇｌｏｂａｌ  Ｓｙｓｔｅｍ  ｆｏｒ  Ｍｏｂｉｌｅ  Ｃｏｍｍｕｎｉｃａｔｉｏｎｓ）通信規格の通信網やＬＴＥ（Ｌｏｎｇ  Ｔｅｒｍ  Ｅｖｏｌｕｔｉｏｎ）通信規格の通信網等が知られている。
【０００３】
この他、移動体通信端末に関する技術としては、移動体通信端末間で通信回線の使用権利を一時移転する技術が知られている（例えば、特許文献１参照）。
【先行技術文献】
【特許文献】
【０００４】
【特許文献１】特開２００６−７４１０３号公報
【発明の概要】
【発明が解決しようとする課題】
【０００５】
ところで、近年スマートフォンやタブレット端末等が普及し、これらの移動体通信端末を複数台所有するユーザが増加してきている。しかしながら、複数の移動体通信端末を移動体通信網に接続して利用しようとした場合、ユーザは、端末毎に通信事業者と加入契約を交わして、端末毎のＳＩＭカードを通信事業者から提供してもらったり、一枚のＳＩＭカードを複数の移動体通信端末間で使い回すことによって、複数の移動体通信端末を移動体通信網に接続したりする必要がある。
【０００６】
しかしながら、前者の手法で複数の移動体通信端末を移動体通信網に接続する場合には、高額な料金を通信事業者に支払わなければならないといった欠点があり、後者の手法で複数の移動体通信端末を移動体通信網に接続する場合には、ＳＩＭカードの脱着という煩わしい作業が必要であるといった欠点がある。
【０００７】
本発明は、こうした問題に鑑みなされたものであり、ユーザが複数の移動体通信端末を移動体通信網に接続する際の、利便性を向上可能な技術を提供することを目的とする。
【課題を解決するための手段】
【０００８】
上記目的を達成するためになされた本発明は、移動体通信網を通じた外部装置との通信機能である移動体通信機能を有する移動体通信端末を管理する管理システムであって、記憶手段と、制御手段とを、備える。移動体通信端末は、自端末に搭載された加入者識別モジュール（ＳＩＭ）に記された加入者識別コードを自端末の加入者識別コードとして用いて、上記移動体通信機能により、移動体通信網を通じた外部装置との通信を行う。
【０００９】
この管理システムが有する記憶手段は、一加入者に対応する加入者識別コード群として、この加入者に与えられた複数の加入者識別モジュールの夫々に記された加入者識別コードを記憶する。制御手段は、記憶手段が記憶する加入者識別コード群のうちの一つの加入者識別コードによる移動体通信網を通じた外部装置との通信を許可し、当該加入者識別コード群のうちの他の加入者識別コードによる移動体通信網を通じた外部装置との通信を禁止する。
【００１０】
例えば、制御手段は、上記他の加入者識別コードが記された加入者識別モジュールを搭載した移動体通信端末に対し、移動体通信機能をオフに切り替えるように指令入力することにより、上記他の加入者識別コードによる移動体通信網を通じた外部装置との通信を禁止する。この指令入力は、例えば、移動体通信網を通じて実現することができる。
【００１１】
この管理システムによれば、一加入者に対して複数の加入者識別モジュールを提供しつつ、これらの加入者識別モジュールを装着した移動体通信端末の一つに限定して、移動体通信網の利用を許可することができる。
【００１２】
即ち、上述したように移動体通信網の利用を制限することで、一加入契約に対し、複数の加入者識別モジュールを加入者に提供しても、加入者による移動体通信網の利用を、一加入契約毎に一つの加入者識別モジュールを提供するのと同程度の利用に制限することができる。
【００１３】
この管理システムによれば、通信事業者にとっては、例えば、従来における一加入契約毎の移動体通信網の利用料金と同程度の料金設定で、一加入契約に対して、複数の加入者識別モジュールを加入者に提供することができる。そして、加入者にとっては、従来のように一つの加入者識別モジュールを複数の移動体通信端末で使い回ししなくても、低料金で、複数の移動体通信端末を移動体通信網に接続することができる。従って、本発明によれば、複数の移動体通信端末をユーザが移動体通信網に接続する際の、利便性を向上させることができる。
【００１４】
ところで、制御手段は、上記加入者識別コード群のうちの一つの加入者識別コードによる移動体通信網を通じた外部装置との通信を許可し、他の加入者識別コードによる移動体通信網を通じた外部装置との通信を禁止する処理として、移動体通信網へのアクセスに際して用いられた最新の加入者識別コードによる移動体通信網を通じた外部装置との通信を許可し、他の加入者識別コードによる移動体通信網を通じた外部装置との通信を禁止する処理を実行する構成にすることができる。
【００１５】
この他、制御手段は、予め定められた優先順位に従って、上記加入者識別コード群のうちの一つの加入者識別コードによる移動体通信網を通じた外部装置との通信を許可し、他の加入者識別コードによる移動体通信網を通じた外部装置との通信を禁止する構成にすることができる。優先順位は、例えば、ユーザの指示に従って、上記加入者識別コード群に属する加入者識別コードの夫々に対して定めることができる。また、優先順位の情報は、例えば、記憶手段に記憶させておくことができる。
【００１６】
制御手段は、例えば、移動体通信端末による移動体通信網へのアクセスに際して、アクセス元移動体通信端末の加入者識別コードに割り当てられた優先順位と、現在移動体通信網を通じた外部装置との通信を許可されている移動体通信端末の加入者識別コードに割り当てられた優先順位とを比較し、アクセス元移動体通信端末の加入者識別コードに割り当てられた優先順位が、現在移動体通信網を通じた外部装置との通信を許可されている加入者識別コードに割り当てられた優先順位よりも高い場合に、アクセス元移動体通信端末の加入者識別コードによる移動体通信網を通じた外部装置との通信を許可し、他の加入者識別コードによる移動体通信網を通じた外部装置との通信を禁止する構成にすることができる。
【００１７】
換言すれば、制御手段は、アクセス元移動体通信端末の加入者識別コードに割り当てられた優先順位が、現在移動体通信網を通じた外部装置との通信を許可されている加入者識別コードに割り当てられた優先順位よりも低い場合には、アクセス元移動体通信端末による移動体通信網へのアクセスを却下し、アクセス元移動体通信端末による移動体通信網を通じた外部装置との通信を禁止する構成にすることができる。
【００１８】
また、制御手段は、現在移動体通信網を通じた外部装置との通信を許可されている加入者識別コードを利用する移動体通信端末の移動体通信機能がオフに設定されている場合には、優先順位の高低に関らず、アクセス元移動体通信端末の加入者識別コードによる移動体通信網を通じた外部装置との通信を許可する構成にすることができる。この際、制御手段は、他の加入者識別コードによる移動体通信網を通じた外部装置との通信を禁止する構成にすることができる。
【００１９】
また、移動体通信機能のオン／オフは、移動体通信端末の電源をオンに維持した状態で、その機能をオン／オフすることにより実現することができる。この他、移動体通信端末のウェイクアップ／スイープを制御することにより実現されてもよいし、移動体通信端末の電源をオン／オフすることにより実現されてもよい。移動体通信端末の電源をオン／オフすることにより、移動体通信機能をオン／オフすれば、移動体通信網の利用が禁止されている移動体通信端末のバッテリ消費を抑えることができる。
【００２０】
この他、記憶手段は、一加入者に対応する加入者識別コード群として、一加入者電話番号に対して与えられた複数の加入者識別モジュールの夫々に記された加入者識別コードを記憶する構成にすることができる。
【００２１】
また、記憶手段は、加入者識別コード群のうちのいずれの加入者識別コードが有効な加入者識別コードであるかを表す設定情報を記憶し、制御手段は、加入者識別コード群のうちの一つの加入者識別コードによる移動体通信網を通じた外部装置との通信を許可する際に、この設定情報を更新することにより、外部装置との通信を許可する加入者識別コードを有効な加入者識別コードに設定する構成にすることができる。
【００２２】
そして、制御手段は、外部からの加入者（加入者電話番号）に対する呼出要求に対し、記憶手段が記憶する設定情報に基づき、有効な加入者識別コードを利用する移動体通信端末から加入者への呼び出しが行われるように、移動体通信端末に対する制御を行う構成にすることができる。このように制御手段を構成すれば、移動体通信端末が携帯電話端末であり、一加入者電話番号に対して複数の加入者識別コードが与えられる場合でも、適切に、一つの携帯電話端末を通じて加入者を呼び出し、携帯電話端末と外部電話端末との移動体通信網を通じた電話通信を実現することができる。
【００２３】
この他、本発明の管理システムは、基地局より通信事業者側のシステムとして構成されてもよいし、一加入者が有する複数の移動体通信端末によって構成されてもよいし、これら複数の移動体通信端末の一つに内蔵されてもよい。
【００２４】
上記管理システムを基地局より通信事業者側のシステムとして構成する場合には、例えば、移動体通信端末による基地局を通じた移動体通信網へのアクセスを監視して、上述の処理を実行するように、制御手段を構成すればよい。
【００２５】
一方、管理システムを加入者が有する複数の移動体通信端末によって構成する場合には、例えば、これら移動体通信端末の夫々が、他の移動体通信端末の動作を監視し、他の移動体通信端末の移動体通信機能がオンに切り替わったことを条件に、自端末の移動体通信機能をオフに切り替えることによって、一加入者の加入者識別コード群のうちの一つの加入者識別コードによる移動体通信網を通じた外部装置との通信を許可する一方、他の加入者識別コードによる移動体通信網を通じた外部装置との通信を禁止するように、管理システムを構成することができる。
【００２６】
この相互監視は、移動体通信網を介した移動体通信端末間の相互通信により行われてもよいが、短距離無線通信（ブルートゥース通信等）を介した移動体通信端末間の相互通信により行われてもよい。
【００２７】
この他、移動体通信端末の夫々は、自端末の移動体通信機能をオンに切り替える際に、同じ加入者の上記加入者識別コード群に属する他の加入者識別コードを用いる移動体通信端末の移動体通信機能をオフに切り替えるように、該当する移動体通信端末に対して指令入力することによって、他の加入者識別コードによる移動体通信網を通じた外部装置との通信を禁止するように構成されてもよい。このような構成は、本発明の管理システムの機能を、移動体通信端末の夫々に搭載することと等価である。
【００２８】
また、本発明の管理システムに対応して、移動体通信端末には、管理システムから入力される指令に従って、移動体通信機能をオフに設定する機能停止手段を設けることができる。機能停止手段は、この指令に従って、移動体通信機能だけをオフする構成にされてもよいし、自端末をスリープさせる構成にされてもよいし、自端末の電源をオフする構成にされてもよい。
【図面の簡単な説明】
【００２９】
【図１】通信システム１の構成を表すブロック図である。
【図２】加入者データベース３９の構成を表す図である。
【図３】携帯電話端末５０に対するＳＩＭカード１００の割当態様（Ａ）及び通信制御局３０による移動体通信機能のオフ制御の態様を説明した図（Ｂ）である。
【図４】携帯電話端末５０の制御ユニット５１が実行する機能切替処理を表すフローチャートである。
【図５】制御ユニット５１が実行する停止指令受付処理を表すフローチャートである。
【図６】通信制御局３０の制御ユニット３１が実行する端末管理処理を表すフローチャートである。
【図７】制御ユニット３１が実行する端末呼出処理を表すフローチャートである。
【図８】第二実施例における加入者データの構成を表す説明図である。
【図９】第二実施例において制御ユニット３１が実行する端末管理処理を表すフローチャートである。
【図１０】第二実施例において制御ユニット３１が実行する順位更新処理を表すフローチャートである。
【図１１】第三実施例において制御ユニット３１が実行する端末管理処理を表すフローチャートである。
【図１２】第四実施例における携帯電話端末５０の構成を表すブロック図（Ａ）及び制御ユニット５１が実行する機能切替処理を表すフローチャート（Ｂ）である。
【発明を実施するための形態】
【００３０】
以下に本発明の実施例について、図面と共に説明する。
［第一実施例］
本実施例の通信システム１は、図１に示すように、移動体通信端末としての複数の携帯電話端末５０と、これらの携帯電話端末５０を管理する通信事業者側システム１０と、を備えるものである。通信事業者側システム１０は、複数の基地局２０と、通信制御局３０と、これら基地局２０と通信制御局３０とを結ぶ中継システム４０と、を備え、移動体通信網（換言すればセルラー網）を構成する。
【００３１】
周知のように基地局２０は、電話加入者が備える携帯電話端末５０と無線通信して、携帯電話端末５０を移動体通信網に接続するものであり、各地域に分散配置される。携帯電話端末５０は、この基地局２０と無線通信可能な地域において、移動体通信網に接続される。移動体通信網としては、ＧＳＭ通信網やＬＴＥ通信網などを一例に挙げることができる。
【００３２】
中継システム４０は、通信制御局３０及び各地域に設置された基地局２０に接続され、基地局２０と通信制御局３０との間における信号伝達を中継する通信設備群により構成される。
【００３３】
一方、通信制御局３０は、携帯電話端末５０間や、携帯電話端末５０と固定電話端末との間の通信制御を行うものであり、制御ユニット３１、記憶ユニット３３、及び、通信ユニット３５を備える。
【００３４】
通信ユニット３５は、中継システム４０に接続されて、通信制御局３０宛ての送信信号を中継システム４０から受信する一方、基地局２０や携帯電話端末５０宛ての信号を中継システム４０に出力する。
【００３５】
制御ユニット３１は、通信制御に係る処理として、通信ユニット３５の受信信号に基づき、携帯電話端末５０による呼出要求に対し、基地局２０を介して該当する電話端末を呼び出したり、この呼び出しに応じた電話端末と呼出元携帯電話端末５０とを音声通信可能に接続したりする。また、携帯電話端末５０による基地局２０を介したインターネット内のサーバへの接続要求に応じて、要求元携帯電話端末５０をインターネット内のサーバに接続したりする。このようにして、制御ユニット３１は、移動体通信網内の通信制御に係る処理を実行する。
【００３６】
また、記憶ユニット３３は、各種データベースを記憶保持する。具体的に、記憶ユニット３３は、位置登録データベース３７及び加入者データベース３９を備える。位置登録データベース３７は、周知のように、携帯電話端末５０と基地局２０との間の無線通信により特定される携帯電話端末５０の現在位置、即ち、携帯電話端末５０が存在するエリアの情報を記憶する。
【００３７】
移動体通信網を介して外部装置と通信することを許可された携帯電話端末５０に関しては、この位置登録データベース３７に、携帯電話端末５０の現在位置情報が登録される。例えば、位置登録データベース３７には、携帯電話端末５０が搭載するＳＩＭ（加入者識別モジュール）カード１００の加入者識別コードに関連付けられて、この携帯電話端末５０の現在位置情報が登録される。周知のようにＳＩＭカード１００には、加入者識別コードとして、国際移動体加入者識別コード（ＩＭＳＩ）が記憶される。
【００３８】
また、加入者データベース３９は、電話加入者毎に、この電話加入者に対応する加入者識別コード群を記憶する。図２に示すように、加入者データベース３９は、電話加入者毎（換言すれば加入者電話番号毎）の加入者データを備える。そして、各加入者データは、対応する電話加入者の電話番号に関連付けて、この電話加入者に提供（貸与）された一つ又は複数のＳＩＭカード１００の夫々に記された加入者識別コードを記憶する。また、この加入者データは、加入者識別コード毎に、この加入者識別コードが有効であるか否かを表す有効／無効情報を記憶する。尚、一電話加入者に提供される複数のＳＩＭカード１００には、ＳＩＭカード１００毎に異なる加入者識別コード及びこれらのＳＩＭカード１００に共通の加入者電話番号が記憶される。
【００３９】
ここで、本実施例の通信システム１が想定しているＳＩＭカード１００の配布環境について説明する。従来では、通信事業者により、一加入者電話番号に対して、一つのＳＩＭカード１００のみが電話加入者に提供されていた。これに対し、本実施例では、一加入者電話番号に対して、複数のＳＩＭカード１００が電話加入者に提供され得る環境を想定している。即ち、電話加入者が望めば、複数のＳＩＭカード１００が電話加入者に提供される環境を想定している。
【００４０】
近年においては、携帯電話端末５０として、様々な種類の製品が製造及び販売されている。例えば、図３（Ａ）左図に示すように、電話機能に特化した携帯電話端末、同中央図に示すように、電話機能以外の機能についても充実した多機能携帯電話端末としてのスマートフォン、及び、同右図に示すように、スマートフォンよりも大画面のディスプレイを備えるタブレット端末が製造及び販売されている。
【００４１】
そして、このような携帯電話端末５０については、その種類によって携帯性や操作性等に関する利点や欠点が異なるため、これらの種類の異なる複数の携帯電話端末５０を、ユーザが用途に応じて使い分けることを目的として所有するケースが増加してきている。但し、一加入者電話番号に対して一つのＳＩＭカード１００しか提供されない従来環境において、複数端末を所有しようとする場合、ユーザは、携帯電話端末５０毎の加入契約を通信事業者と交わして、携帯電話端末５０毎のＳＩＭカード１００を手に入れるか、一つのＳＩＭカード１００を複数の携帯電話端末５０で使い回す等の方法でしか、これら複数の携帯電話端末５０を移動体通信網に接続する術がなかった。
【００４２】
本発明者らは、こうした環境がユーザにとって不便であることに鑑み、一加入者電話番号（一加入契約）に対して、複数のＳＩＭカード１００を電話加入者に提供することを想到するに至った。このようにＳＩＭカード１００を提供すれば、電話加入者は、図３（Ａ）に示すように、一加入契約で得た複数のＳＩＭカード１００を、自己が所有する携帯電話端末５０の夫々に装着して、移動体通信網を利用することができる。
【００４３】
但し、単に複数のＳＩＭカード１００を電話加入者に提供するだけでは、移動体通信網の負荷が増大し、結果的に、通信事業者は、電話加入者に対して相応の料金を請求せざるを得なくなる。
【００４４】
そこで、本実施例の通信事業者側システム１０では、これらＳＩＭカード１００を装着する複数の携帯電話端末５０の一つのみが移動体通信網を利用できるように、通信制御局３０において、複数の携帯電話端末５０の管理を行うようにした。
【００４５】
具体的に、通信制御局３０の制御ユニット３１は、記憶ユニット３３が記憶する加入者データベース３９に基づき、このような携帯電話端末５０の管理に係る処理を実行し、一電話加入者（一加入者電話番号）に対応する携帯電話端末５０の複数が同時には、移動体通信網を利用することができないように、携帯電話端末５０の移動体通信機能をオフに切り替える制御を行う。
【００４６】
図３（Ｂ）上段に示すように、一加入者電話番号に対応する複数のＳＩＭカード１００を装着する複数の携帯電話端末５０のうちの一つの移動体通信機能がオンにされると、図３（Ｂ）下段に示すように、他の携帯電話端末５０の移動体通信機能をオフに制御するといった具合である。付言すると、通信制御局３０の制御ユニット３１は、上記他の携帯電話端末５０に対し、移動体通信網を通じて移動体通信機能をオフにするように指令入力することにより、これらの携帯電話端末５０の移動体通信機能をオフに制御する。尚、ここで言う移動体通信機能とは、移動体通信網を通じた外部装置（即ち自端末以外の装置）との通信機能のことである。制御ユニット３１が実行するこのような処理の内容については、後述する。
【００４７】
続いて、携帯電話端末５０の構成について説明する。図１には、一加入者電話番号に対して複数提供されるＳＩＭカード１００の夫々を装着する携帯電話端末５０の一群を示す。図１に示すように、本実施例の携帯電話端末５０は、周知の携帯電話端末と同様、制御ユニット５１と、カードインタフェース５３と、移動体通信ユニット５５と、表示ユニット５７と、入力ユニット５９と、音入出力ユニット６１と、電源管理ユニット６３と、バッテリ６５と、を備える。また、スマートフォンやタブレット端末等の特定種の携帯電話端末５０は、無線ＬＡＮ通信ユニット６７を備える。
【００４８】
制御ユニット５１は、各種プログラムに従う処理を実行して携帯電話端末５０内部を統括制御するものであり、ＣＰＵ５１Ａと、ＲＡＭ５１Ｂと、ＮＶＲＡＭ５１Ｃと、を備える。ＮＶＲＡＭ５１Ｃは、電気的にデータ書換可能な不揮発性メモリとしてのフラッシュメモリから構成され、各種プログラムやデータを記憶する。一方、ＲＡＭ５１Ｂは、ＣＰＵ５１Ａによる上記プログラムに従う処理の実行時にワークメモリとして用いられる。ＣＰＵ５１Ａは、ＮＶＲＡＭ５１Ｃに記憶されるプログラムに従って各種処理を実行する。
【００４９】
一方、カードインタフェース５３は、ＳＩＭカード１００を脱着可能なスロット５３Ａを備え、スロット５３Ａに装着されたＳＩＭカード１００に記憶される情報を、携帯電話端末５０内の各部（制御ユニット５１等）に提供するものである。このＳＩＭカード１００は、少なくとも加入者識別コードと加入者電話番号とを記憶する。
【００５０】
また、移動体通信ユニット５５は、制御ユニット５１に制御され、予め定められた通信方式で基地局２０との無線通信を行うものである。移動体通信ユニット５５は、この無線通信により、移動体通信網を介した外部装置と通信を実現する。具体的に、移動体通信ユニット５５は、カードインタフェース５３に装着されたＳＩＭカード１００に記された加入者識別コード（及び加入者電話番号）を、自端末の加入者識別コード（及び加入者電話番号）として用いて、基地局２０と無線通信し、移動体通信網を介して外部装置と通信する。具体的な通信手順については、周知であるので説明を省略するが、移動体通信ユニット５５は、自端末の加入者識別コード（及び加入者電話番号）を格納した通信信号を基地局２０に送信することにより、通信信号の送信元を明示し、移動体通信網を介した外部装置との通信を実現する。
【００５１】
また、表示ユニット５７は、液晶ディスプレイ又は有機ＥＬディスプレイを備え、制御ユニット５１に制御されて、各種情報を、携帯電話端末５０のユーザに向けて表示する。この他、入力ユニット５９は、機械式スイッチやタッチパネル等から構成されて、携帯電話端末５０を操作するユーザの当該操作情報を受け付け、この情報を制御ユニット５１に入力する。タッチパネルは、例えば、表示ユニット５７の画面上に設けられる。
【００５２】
この他、音入出力ユニット６１は、図示しないマイク、スピーカ、及び信号処理回路から構成され、マイクからの入力信号を信号処理回路によりディジタル信号に変換して制御ユニット５１に入力する一方、制御ユニット５１から入力されるディジタル音声信号を信号処理回路によりアナログ信号に変換してスピーカにより再生する。
【００５３】
また、電源管理ユニット６３は、バッテリ６５から端末内各部への電源供給を制御するものである。例えば、電源管理ユニット６３は、制御ユニット５１に制御されて、端末内各部への電源供給を停止することにより、自端末をシャットダウンする。また、自端末に設けられた図示しない電源スイッチが押下されると、端末内各部に電源供給して、自端末を起動する。
【００５４】
この他、無線ＬＡＮ通信ユニット６７は、所謂ＷｉＦｉ（登録商標）ネットワーク（無線ＬＡＮ）を介して外部装置との通信を実現する通信インタフェースである。この無線ＬＡＮ通信ユニット６７は、例えば、上述した携帯電話端末５０の内、スマートフォンやタブレット端末に設けられる。
【００５５】
続いて、携帯電話端末５０の制御ユニット５１が実行する処理について説明する。本実施例の携帯電話端末５０は、入力ユニット５９を通じて入力されるユーザの指示に従って、移動体通信機能をオン／オフする構成にされている。制御ユニット５１は、このように自端末の移動体通信機能をオン／オフするために、図４に示す機能切替処理を、繰り返し実行する。
【００５６】
図４に示す機能切替処理を開始すると、制御ユニット５１は、上記ユーザの指示として、移動体通信機能のオン／オフ切替操作が入力ユニット５９を通じてなされるまで待機する（Ｓ１１０）。そして、オン／オフ切替操作がなされたと判断すると（Ｓ１１０でＹｅｓ）、現在移動体通信機能がオンに設定されているか否かを判断し（Ｓ１２０）、オンに設定されていると判断すると（Ｓ１２０でＹｅｓ）、移動体通信機能をオフに切り替えて（Ｓ１３０）、当該機能切替処理を終了する。
【００５７】
一方、移動体通信機能がオフに設定されていると判断すると（Ｓ１２０でＮｏ）、制御ユニット５１は、移動体通信機能をオンに切り替えた後（Ｓ１４０でＹｅｓ）、自端末のＳＩＭカード１００の情報（加入者識別コード）を記した移動体通信網の利用要求を、基地局２０を介して通信制御局３０に送信し（Ｓ１５０）、当該機能切替処理を終了する。
【００５８】
周知のように、携帯電話端末５０は、移動体通信網にアクセスする際、自端末の現在位置情報を位置登録データベース３７に登録するための通信を先駆けて行う。ここで言う「利用要求」は、このような位置登録を伴う移動体通信網の利用に係る手続を通信制御局３０に実行させるための通信信号のことである。この利用要求によって、通信制御局３０では、要求元携帯電話端末５０による移動体通信網の利用を可能とするための手続が行われ、携帯電話端末５０は、移動体通信網を利用可能な状態にされる。
【００５９】
尚、制御ユニット５１は、Ｓ１５０の処理開始時に自端末が通信圏外である場合（自端末が基地局２０と無線通信可能な地域に存在しない場合）、自端末が通信圏内に移動し移動体通信網を利用可能な状態となるまで、上記利用要求を繰り返し送信する。
【００６０】
また、制御ユニット５１は、移動体通信機能がオンに設定されている場合には、自端末の電源がオンにされた場合にも、Ｓ１５０を実行し、自端末を、移動体通信網を利用可能な状態にする。
【００６１】
一方、携帯電話端末５０は、移動体通信ユニット５５を通じて通信制御局３０から移動体通信機能をオフするように指令する機能停止指令信号を受信すると、自端末の移動体通信機能をオフに切り替える。このための処理として、制御ユニット５１は、図５に示す停止指令受付処理を、携帯電話端末５０の動作中において繰り返し実行する。
【００６２】
制御ユニット５１は、この停止指令受付処理を開始すると、基地局２０を介して通信制御局３０から上記機能停止指令信号を受信するまで待機し（Ｓ２１０）、この機能停止指令信号を受信すると（Ｓ２１０でＹｅｓ）、「移動体通信機能をオフにする」旨のメッセージを、表示ユニット５７を通じてユーザに向けて表示した後（Ｓ２２０）、自端末の移動体通信機能をオフに切り替えて（Ｓ２３０）、当該停止指令受付処理を終了する。
【００６３】
また、携帯電話端末５０の管理を行う通信制御局３０の制御ユニット３１は、携帯電話端末５０から発せられる移動体通信網の利用要求に対応する処理を実行するために、図６に示す端末管理処理を実行する。
【００６４】
端末管理処理を開始すると、制御ユニット３１は、基地局２０を介して携帯電話端末５０から上記利用要求を受信するまで待機し（Ｓ３１０）、利用要求を受信すると（Ｓ３１０でＹｅｓ）、その受信信号に基づき、要求元携帯電話端末５０の加入者識別コードを特定し、この加入者識別コードに対応する加入者電話番号を特定する（Ｓ３２０）。
【００６５】
そして、加入者データベース３９が有する加入者データであって、上記特定した加入者電話番号に関連付けられた加入者データに基づき、この加入者電話番号に関連付けられた加入者識別コード群を特定し、この加入者識別コード群のうち、今回利用要求を送信してきた携帯電話端末５０の加入者識別コード以外の加入者識別コードを示すＳＩＭカード１００を装着する携帯電話端末５０に対し、移動体通信機能をオフに切り替えるように指示する上記機能停止指令信号を、基地局２０を介して送信する（Ｓ３３０）。
【００６６】
尚、通信制御局３０では、移動体通信網を利用している携帯電話端末５０の現在位置情報が位置登録データベース３７に登録されている。このため、制御ユニット３１は、今回利用要求を送信してきた携帯電話端末５０の加入者識別コード以外の加入者識別コードを利用する携帯電話端末５０に対して上記機能停止指令信号を送信する際、この位置登録データベース３７において該当加入者識別コードに関連付けられて登録されている現在位置情報を参照して、該当する携帯電話端末５０が存在する地域を特定し、この地域の基地局２０を介して、この携帯電話端末５０に上記機能停止指令信号を送信することができる。但し、Ｓ３３０では、電源がオフに設定されていたり、移動体通信機能がオフに設定されていたりする等の理由により、移動体通信網を利用していない携帯電話端末５０に対しては、上記機能停止指令信号を送信しなくてもよい。
【００６７】
Ｓ３３０での処理を終えると、制御ユニット３１は、Ｓ３４０に移行して、加入者データベース３７内の、要求元携帯電話端末５０に対応する上記加入者データが有する上記加入者識別コード毎の有効／無効情報を編集することにより、要求元携帯電話端末５０が利用する加入者識別コードを有効な加入者識別コードに設定する一方、当該加入者データに関連付けられた他の加入者識別コードを無効な加入者識別コードに設定する。
【００６８】
その後、制御ユニット３１は、要求元携帯電話端末５０による移動体通信網の利用を可能とするための手続を実行することで（Ｓ３５０）、要求元携帯電話端末５０による移動体通信網の利用、換言すれば、移動体通信網を通じた外部装置との通信を許可する。その後、当該端末管理処理を終了する。尚、制御ユニット３１は、要求元携帯電話端末５０による移動体通信網の利用を可能とするための手続（Ｓ３５０）として、例えば、要求元携帯電話端末５０の現在位置情報を、位置登録データベース３７に登録する処理を実行することができる。
【００６９】
また、通信制御局３０の制御ユニット３１は、携帯電話端末５０の加入者電話番号に対する呼出要求に対応した処理を実行するために、図７に示す端末呼出処理を繰り返し実行する。
【００７０】
端末呼出処理を開始すると、制御ユニット３１は、携帯電話端末５０の加入者電話番号に対する呼出要求が、携帯電話端末や固定電話端末から発せられるまで待機する（Ｓ４１０）。そして、呼出要求が発せられると（Ｓ４１０でＹｅｓ）、呼出先の加入者電話番号を特定し（Ｓ４２０）、更に、加入者データベース３９における該当加入者電話番号の加入者データが有する加入者識別コード毎の有効／無効情報を参照して、当該加入者電話番号に関連付けられている加入者識別コード群のうちの有効な加入者識別コードを特定する（Ｓ４３０）。その後、制御ユニット３１は、当該有効な加入者識別コードを使用する携帯電話端末５０を、基地局２０を介して呼び出し（Ｓ４４０）、当該端末呼出処理を終了する。
【００７１】
尚、この呼び出しによって、呼出先の携帯電話端末５０では着信処理が行われる。そして、呼出先の携帯電話端末５０が応答した場合、制御ユニット３１は、呼出元電話端末と呼出先の携帯電話端末５０とを移動体通信網を通じて音声通信可能に接続する。
【００７２】
以上、本実施例の通信システム１について説明したが、本実施例によれば、一加入者電話番号（一加入契約）に対し複数のＳＩＭカード１００を提供して、電話加入者が複数の携帯電話端末５０を所有している場合には、これらの携帯電話端末５０の夫々にＳＩＭカード１００を装着すれば移動体通信網を利用できるようにしつつ、これらＳＩＭカード１００を装着する携帯電話端末５０による移動体通信網の利用を制限することにより、その移動体通信網の利用を、従来のように一加入者電話番号（一加入契約）に対して一つしかＳＩＭカード１００を電話加入者に提供しない場合と同程度に抑えることができるようにした。
【００７３】
従って、本実施例によれば、通信事業者にとっては、一加入者電話番号に対して一枚のＳＩＭカード１００を電話加入者に提供していた従来と同程度の料金設定で、一加入者電話番号に対して複数のＳＩＭカード１００を電話加入者に提供することができ、電話加入者にとっては、一枚のＳＩＭカード１００を複数の携帯電話端末５０で使い回さなくても、低料金で自己が所有する複数の携帯電話端末５０を移動体通信網に接続できる。よって、本実施例の通信システム１によれば、複数の携帯電話端末５０をユーザが移動体通信網に接続する際の、利便性を向上させることができる。
【００７４】
また、本実施例によれば、通信制御局３０は、移動体通信網へのアクセスに際して携帯電話端末５０から送信されてくる利用要求に基づき、この要求元の携帯電話端末５０による移動体通信網の利用（移動体通信網を通じた外部装置との通信）を許可する一方、この要求元携帯電話端末５０に対応する加入者電話番号に関連付けられた他の加入者識別コードを利用する携帯電話端末５０による移動体通信網の利用を、該当携帯電話端末５０への機能停止指令信号の送信により禁止するようにした。
【００７５】
従って、本実施例によれば、電話加入者に対して煩わしい操作を強いることなく、携帯電話端末５０の利用制限を行うことができ大変便利である。電話加入者は、携帯電話端末５０の移動体通信機能をオフからオンに切り替える程度で、これを移動体通信網に接続して利用することができる。
【００７６】
ところで、携帯電話端末５０の制御ユニット５１は、上記機能停止指令信号を受信したのちに実行するＳ２３０（図５参照）において、自端末の移動体通信機能をオフにするだけでなく、電源管理ユニット６３を制御して自端末をシャットダウンする（即ち、自端末の電源をオフする）構成にされてもよい。移動体通信網を利用できない携帯電話端末５０の電源を自動でオフにする実施例によれば、携帯電話端末５０のバッテリ消費を抑えることができて、電話加入者にとっても便利である。
【００７７】
この他、自端末の電源をオンに維持した状態で、移動体通信機能だけをオン／オフ可能に携帯電話端末５０を構成しない場合、制御ユニット５１は、移動体通信ユニット５５を通じて通信制御局３０から機能停止指令信号を受信すると（Ｓ２１０でＹｅｓ）、Ｓ２３０において、移動体通信機能をオフに切り替える代わりに、自端末の電源をオフにする構成にすることができる。この場合、制御ユニット５１は、自端末の電源がオンにされる度に、Ｓ１５０の処理（図４参照）を実行する構成にすることができる。
【００７８】
このように機能停止指令信号に従って、自端末の電源をオフにするように携帯電話端末５０を構成すれば、自端末の電源をオンに維持した状態で、移動体通信機能だけをオン／オフできないような携帯電話端末５０の構成であっても、一加入者電話番号に対応する複数の携帯電話端末５０のうちの一つに対して選択的に移動体通信網の利用を許可することができる。
【００７９】
［第二実施例］
続いて、第二実施例の通信システム１について説明する。但し、第二実施例の通信システム１は、通信制御局３０の記憶ユニット３３が記憶する加入者データ及び制御ユニット３１が実行する端末管理処理が第一実施例と異なる程度である。従って、以下では、第一実施例と異なる第二実施例の通信システム１の構成を選択的に説明し、その他の説明を適宜省略する。
【００８０】
本実施例の加入者データベース３９において記憶される電話加入者毎（加入者電話番号毎）の加入者データは、第一実施例と同様に、対応する電話加入者の電話番号に関連付けて、この電話加入者に提供された一つ又は複数のＳＩＭカード１００の夫々に記された加入者識別コードを記憶する（図８参照）。また、この加入者データは、加入者識別コード毎に、この加入者識別コードが有効であるか否かを表す有効／無効情報、及び、優先順位情報を記憶する。この優先順位情報は、対応する加入者識別コードを使用する携帯電話端末５０による移動体通信網への利用を許可する際の優先順位を表す情報である。
【００８１】
即ち、本実施例の通信制御局３０は、加入者データにおいて高い優先順位の設定された加入者識別コードを使用する携帯電話端末５０による移動体通信網の利用を優先的に許可するように、同一加入者電話番号に対応する複数の携帯電話端末５０の移動体通信機能をオフ制御する。
【００８２】
具体的に、通信制御局３０の制御ユニット３１は、第一実施例の端末管理処理（図６）に代えて、図９に示す端末管理処理を繰り返し実行する。そして、この端末管理処理を開始すると、基地局２０を介して携帯電話端末５０から上記利用要求を受信するまで待機し（Ｓ５１０）、利用要求を受信すると（Ｓ５１０でＹｅｓ）、その受信信号に基づき、要求元携帯電話端末５０の加入者識別コードを特定し、この加入者識別コードに対応する加入者電話番号を特定する（Ｓ５２０）。
【００８３】
そして、上記特定した加入者電話番号に関連付けられた加入者データに基づき、この加入者電話番号に関連付けられた加入者識別コード群の内、現在有効な加入者識別コードとして設定されている加入者識別コードの優先順位と、要求元携帯電話端末５０が使用する加入者識別コードの優先順位とを特定し（Ｓ５３０）、現在有効な加入者識別コードの優先順位のほうが、要求元携帯電話端末５０が使用する加入者識別コードの優先順位よりも高いか否かを判断する（Ｓ５４０）。
【００８４】
そして、現在有効な加入者識別コードの優先順位のほうが、要求元携帯電話端末５０が使用する加入者識別コードの優先順位よりも高いと判断すると（Ｓ５４０でＹｅｓ）、現在有効な加入者識別コードを使用する携帯電話端末５０が移動体通信網を利用中であるか否かを判断する（Ｓ５５０）。具体的には、携帯電話端末５０の電源がオンに設定されており且つ携帯電話端末５０の移動体通信機能がオンに設定されていることで、携帯電話端末５０が移動体通信網に接続された状態であるか否かを判断する。
【００８５】
そして、現在有効な加入者識別コードを使用する携帯電話端末５０が移動体通信網を利用中であると判断すると（Ｓ５５０でＹｅｓ）、制御ユニット３１は、要求元携帯電話端末５０に対して移動体通信網を通じ上記機能停止指令信号を送信することにより、この携帯電話端末５０の移動体通信機能をオフに切り替える（Ｓ５６０）。また、制御ユニット３１は、利用要求に対応した処理（Ｓ５７０〜Ｓ５９０）を実行しないことにより、利用要求を破棄する（Ｓ５６０）。その後、当該端末管理処理を終了する。
【００８６】
一方、制御ユニット３１は、現在有効な加入者識別コードを使用する携帯電話端末５０が移動体通信網を利用中ではないと判断するか（Ｓ５５０でＮｏ）、要求元携帯電話端末５０が使用する加入者識別コードの優先順位のほうが現在有効な加入者識別コードの優先順位よりも高いと判断すると（Ｓ５４０でＮｏ）、Ｓ５７０に移行し、Ｓ３３０での処理と同様に、この要求元携帯電話端末５０に対応する上記加入者データに記された加入者識別コード群のうち、要求元携帯電話端末５０の加入者識別コード以外の加入者識別コードを記憶するＳＩＭカード１００を装着する携帯電話端末５０に対して、移動体通信機能をオフに切り替えるように指示する上記機能停止指令信号を、基地局２０を介して送信する。但し、Ｓ５７０では、電源がオフに設定されていたり、移動体通信機能がオフに設定されていたりする等の理由により、移動体通信網を利用していない携帯電話端末５０に対しては、上記機能停止指令信号を送信しなくてもよい。
【００８７】
Ｓ５７０での処理を終えると、制御ユニット３１は、Ｓ５８０に移行し、この要求元携帯電話端末５０に対応する上記加入者データが有する上記加入者識別コード毎の有効／無効情報を編集することにより、要求元携帯電話端末５０が利用する加入者識別コードを有効な加入者識別コードに設定する一方、当該加入者データに関連付けられた他の加入者識別コードを無効な加入者識別コードに設定する。
【００８８】
その後、制御ユニット３１は、Ｓ３５０での処理と同様に、要求元携帯電話端末５０による移動体通信網の利用を可能とするための手続を実行することで（Ｓ５９０）、要求元携帯電話端末５０による移動体通信網の利用、換言すれば、移動体通信網を通じた外部装置との通信を許可する。その後、当該端末管理処理を終了する。
【００８９】
以上、本実施例の通信システム１について説明したが、本実施例の通信システム１によれば、通信制御局３０の制御ユニット３１が、予め加入者データにおいて定義された優先順位に従って、加入者データが示す加入者識別コード群のうちの一つの加入者識別コードによる移動体通信網を通じた外部装置との通信を許可し、他の加入者識別コードによる移動体通信網を通じた外部装置との通信を禁止する。
【００９０】
具体的に、制御ユニット３１は、携帯電話端末５０による移動体通信網へのアクセスに際して送信されてくる利用要求の受信を契機に、要求元携帯電話端末５０の加入者識別コードに割り当てられた優先順位と、現在有効な加入者識別コードに割り当てられた優先順位とを比較し、要求元携帯電話端末５０の加入者識別コードに割り当てられた優先順位のほうが高い場合に、要求元携帯電話端末５０による移動体通信網を通じた外部装置との通信を許可し、他の加入者識別コードによる移動体通信網を通じた外部装置との通信を禁止する。一方、要求元携帯電話端末５０の加入者識別コードに割り当てられた優先順位のほうが低い場合には、要求元携帯電話端末５０による移動体通信網を通じた外部装置との通信を禁止する。
【００９１】
また、制御ユニット３１は、現在有効な加入者識別コードを利用する携帯電話端末５０が移動体通信網を利用していない場合には、優先順位の高低に関らず、要求元携帯電話端末５０による移動体通信網を通じた外部装置との通信を許可する。
【００９２】
従って、本実施例によれば、加入者データにおいて、電話加入者の希望に沿った優先順位を定義することで、複数の携帯電話端末５０を電話加入者が移動体通信網に接続する際の、利便性を一層向上させることができる。
【００９３】
尚、電話加入者の希望に沿った優先順位の登録は、通信事業者が電話加入者の希望に沿って、優先順位を定義した加入者データを加入者データベース３９に登録することにより実現することができる。但し、通信制御局３０には、携帯電話端末５０からの移動体通信網を通じた要求に応じて、この携帯電話端末５０に対応する加入者データの優先順位情報を更新する機能を設けるとよい。
【００９４】
即ち、通信制御局３０の制御ユニット３１は、図１０に示す順位更新処理を繰り返し実行し、携帯電話端末５０から移動体通信網を通じて順位更新要求を受信すると（Ｓ６１０でＹｅｓ）、この順位更新要求に応じて、この携帯電話端末５０に対応する加入者データにおける加入者識別コード毎の優先順位情報を更新し、各加入者識別コードの優先順位を入れ替える構成にされるとよい（Ｓ６２０）。更新対象の加入者データについては、要求元携帯電話端末５０が使用する加入者識別コードから特定することができる。
【００９５】
このような機能を通信制御局３０に付与することで、電話加入者に対して一層利便性の高い通信システム１を提供することができる。
［第三実施例］
続いて、第三実施例の通信システム１について説明する。但し、第三実施例の通信システム１は、通信制御局３０の制御ユニット３１が実行する端末管理処理が第二実施例と異なる程度である。従って、以下では、第二実施例と異なる第三実施例の通信システム１の構成を選択的に説明し、その他の説明を適宜省略する。
【００９６】
第二実施例によれば、通信制御局３０では、移動体通信網へのアクセスに際して携帯電話端末５０から送信されてくる利用要求に基づき、移動体通信網の利用を許可する携帯電話端末５０を切り替え、移動体通信網の利用を禁止する携帯電話端末５０に対して移動体通信機能をオフに切り替えるように指令入力した。
【００９７】
一方、本実施例では、通信制御局３０の制御ユニット３１が常時繰り返し、各電話加入者の携帯電話端末５０による移動体通信網の利用有無を判断し、移動体通信網を利用する携帯電話端末５０が一つに限定されるように、移動体通信網の利用を禁止する携帯電話端末５０に対して移動体通信機能をオフに切り替えるように指令入力する。
【００９８】
具体的に、制御ユニット３１は、図６及び図９に示す端末管理処理に代えて、図１１に示す端末管理処理を繰り返し実行する。この端末管理処理を開始すると、制御ユニット３１は、加入者データベース３９に登録されている加入者データ群から検査対象の加入者データを一つ選択する（Ｓ７１０）。そして、選択した加入者データに登録されている加入者識別コード群の内、優先順位が最も高い加入者識別コードを検査対象コードに選択して（Ｓ７２０）、この検査対象コードを、自端末の加入者識別コードとして使用する携帯電話端末５０が移動体通信網を利用中であるか否かを判断する（Ｓ７３０）。具体的には、携帯電話端末５０の電源がオンに設定されており且つ携帯電話端末５０の移動体通信機能がオンに設定されていることで、該当する携帯電話端末５０が移動体通信網に接続された状態であるか否かを判断する。
【００９９】
そして、この検査対象コードを、自端末の加入者識別コードとして使用する携帯電話端末５０が移動体通信網を利用中であると判断すると（Ｓ７３０でＹｅｓ）、検査対象の加入者データに登録されている加入者識別コード群の内、検査対象コード以外の加入者識別コードを使用する携帯電話端末５０に対して、Ｓ３３０での処理と同様に、移動体通信機能をオフに切り替えるように指示する上記機能停止指令信号を、基地局２０を介して送信する（Ｓ７４０）。その後、当該端末管理処理を終了する。但し、Ｓ７４０では、電源がオフに設定されていたり、移動体通信機能がオフに設定されていたりする等の理由により、移動体通信網を利用していない携帯電話端末５０に対しては、上記機能停止指令信号を送信しなくてもよい。
【０１００】
一方、検査対象コードを、自端末の加入者識別コードとして使用する携帯電話端末５０が移動体通信網を利用中ではないと判断すると（Ｓ７３０でＮｏ）、制御ユニット３１は、検査対象の加入者データに登録された加入者識別コードの全てについて、これを検査対象コードに選択し、Ｓ７３０以降の処理を実行したか否かを判断し（Ｓ７５０）、実行していないと判断すると（Ｓ７５０でＮｏ）、検査対象コードを、加入者データに登録されている加入者識別コードの内、現在の検査対象コードの優先順位よりも一つ下の優先順位を有する加入者識別コードに切り替えて（Ｓ７６０）、Ｓ７３０以降の処理を実行する。また、Ｓ７５０で肯定判断すると（Ｓ７５０でＮｏ）、当該端末管理処理を終了する。
【０１０１】
制御ユニット３１は、このような内容の端末管理処理を、Ｓ７１０において検査対象の加入者データを順次切り替えつつ、繰り返し実行することにより、各加入者の各携帯電話端末５０による移動体通信網の利用有無を判断し、加入者電話番号毎に、移動体通信網を利用中の携帯電話端末５０であって最も優先順位の高い携帯電話端末５０に対してだけ移動体通信網の利用を許可し、その他の携帯電話端末５０に対しては、機能停止指令信号を送信することにより、この携帯電話端末５０による移動体通信網の利用を禁止する。
【０１０２】
以上、第三実施例の通信システム１について説明したが、第三実施例によっても、一加入者電話番号に対して提供されたＳＩＭカード１００を装着する携帯電話端末５０の一つによる移動体通信網を通じた外部装置との通信を許可し、この携帯電話端末５０が装着するＳＩＭカード１００以外のＳＩＭカード１００を装着する携帯電話端末５０による移動体通信網の利用を禁止することができる。従って、本実施例によっても、第一実施例及び第二実施例と同様に、電話加入者に利便性の高い通信システム１を提供することができる。
【０１０３】
尚、本実施例における通信制御局３０の制御ユニット３１は、携帯電話端末５０から移動体通信網の利用要求を受信した場合、その要求に従って、要求元携帯電話端末５０による移動体通信網の利用を可能とするための手続を実行して、移動体通信網の利用を形式的に許可する構成にすることができる。この形式的な許可は、上記端末管理処理により必要に応じて取り消される。
【０１０４】
［第四実施例］
続いて、第四実施例の通信システム１について説明する。第四実施例の通信システム１は、第一〜第三実施例のように通信制御局３０において携帯電話端末５０の動作を監視し、必要に応じて機能停止指令信号を携帯電話端末５０に送信するのではなく、一加入者電話番号に対して提供された複数のＳＩＭカード１００を装着する携帯電話端末５０間で互いを制御することにより、これらの携帯電話端末５０のうちの一つによる移動体通信網の利用を許可し、他の携帯電話端末による移動体通信網の利用を禁止するものである。
【０１０５】
従って、以下では、本実施例の通信システム１に関する説明として、携帯電話端末５０の制御ユニット５１が実行する処理について説明する。本実施例の携帯電話端末５０を含む通信システム１のハードウェア構成は、上述した実施例の通信システム１と同様である。但し、本実施例における通信事業者側システム１０は、周知の通信事業者側システムと同様に動作し、第一〜第三実施例に特有な処理動作を実行しない点に注意されたい。
【０１０６】
本実施例の携帯電話端末５０は、ＮＶＲＡＭ５１Ｃに、この携帯電話端末５０の加入者データを記憶した構成にされる。即ち、本実施例の携帯電話端末５０は、図１２（Ａ）に示すように、ＮＶＲＡＭ５１Ｃに、自端末と同一の加入者電話番号に対して提供された複数のＳＩＭカード１００に記された加入者識別コードの夫々を記述した加入者データを有した構成にされる。
【０１０７】
そして、携帯電話端末５０は、ＮＶＲＡＭ５１Ｃが記憶するこの加入者データに基づき、この加入者データに登録された加入者識別コードの一つを利用する携帯電話端末５０のみが移動体通信網の利用を許可されるように、図１２（Ｂ）に示す機能切替処理を実行する。
【０１０８】
携帯電話端末５０の制御ユニット５１は、図１２（Ｂ）に示す機能切替処理を、図４に示す機能切替処理に代えて開始すると、移動体通信機能のオン／オフ切替操作が入力ユニット５９を通じてなされるまで待機する（Ｓ８１０）。そして、オン／オフ切替操作がなされたと判断すると（Ｓ８１０でＹｅｓ）、現在移動体通信機能がオンに設定されているか否かを判断し（Ｓ８２０）、オンに設定されていると判断すると（Ｓ８２０でＹｅｓ）、移動体通信機能をオフに切り替えて（Ｓ８３０）、当該機能切替処理を終了する。
【０１０９】
一方、現在移動体通信機能がオフに設定されていると判断すると（Ｓ８２０でＮｏ）、制御ユニット５１は、移動体通信機能をオンに切り替えた後（Ｓ８４０でＹｅｓ）、ＮＶＲＡＭ５１Ｃが記憶する加入者データに基づき、この加入者データに登録された加入者識別コード群のうち、自端末の加入者識別コード以外の加入者識別コードを利用する携帯電話端末５０に対して、移動体通信機能をオフに切り替えるように指示する上記機能停止指令信号を、移動体通信網を介して送信する（Ｓ８５０）。その後、機能切替処理を終了する。尚、制御ユニット５１は、移動体通信機能がオンに設定されている状態で、自端末の電源がオンにされた場合にも、Ｓ８５０の処理を実行する構成にすることができる。
【０１１０】
一方、携帯電話端末５０の制御ユニット５１は、図５に示す停止指令受付処理を繰り返し実行し、外部の携帯電話端末５０から移動体通信網を介して上記機能停止指令信号を受信すると（Ｓ２１０でＹｅｓ）、「移動体通信機能をオフにする」旨のメッセージを、表示ユニット５７を通じてユーザに向けて表示した後（Ｓ２２０）、自端末の移動体通信機能をオフに設定して当該停止指令受付処理を終了する（Ｓ２３０）。
【０１１１】
以上、第四実施例の通信システム１について説明したが、本実施例によれば、携帯電話端末５０による処理動作だけで、一加入者電話番号に対して提供されたＳＩＭカード１００を装着する携帯電話端末５０の一つによる移動体通信網を通じた外部装置との通信を許可し、この携帯電話端末５０が装着するＳＩＭカード１００以外のＳＩＭカード１００を装着する携帯電話端末５０による移動体通信網の利用を禁止することができる。従って、本実施例の通信システム１によっても、電話加入者に利便性の高い通信システム１を構築することができる。
【０１１２】
［最後に］
本発明は、上述した実施例に限定されるものではなく、種々の態様を採ることができる。例えば、着信履歴、発信履歴、電子メール送信履歴、電子メール受信履歴、電話帳、及び、ブックマーク等の各携帯電話端末５０にて記憶／更新されるデータについては、携帯電話端末５０間で共通するデータを記憶保持するように、通信システム１は構成されてもよい。
【０１１３】
このような機能を実現するために、携帯電話端末５０は、移動体通信網を利用可能であるときに、自端末が記憶するデータの内容を逐次、通信制御局３０又は移動体通信網内の図示しないサーバ装置に送信し、通信制御局３０又はサーバ装置から、同一加入者電話番号の他の携帯電話端末５０が記憶するデータの内容を受信して、他の携帯電話端末５０と共通する最新のデータを記憶する構成にすることができる。
【０１１４】
携帯電話端末５０がこのように構成された通信システム１によれば、電話加入者は、複数の携帯電話端末５０をより便利に利用することができる。但し、このようなデータの共有には、移動体通信ではなく、短距離無線通信等を利用してもよい。即ち、サーバ装置等を介さずに、携帯電話端末５０間の通信により、データ共有は実現されてもよい。
【符号の説明】
【０１１５】
１…通信システム、１０…通信事業者側システム、２０…基地局、３０…通信制御局、３１…制御ユニット、３３…記憶ユニット、３５…通信ユニット、３７…位置登録データベース、３９…加入者データベース、４０…中継システム、５０…携帯電話端末、５１…制御ユニット、５１Ａ…ＣＰＵ、５１Ｂ…ＲＡＭ、５１Ｃ…ＮＶＲＡＭ、５３…カードインタフェース、５３Ａ…スロット、５５…移動体通信ユニット、５７…表示ユニット、５９…入力ユニット、６１…音入出力ユニット、６３…電源管理ユニット、６５…バッテリ、６７…無線ＬＡＮ通信ユニット、１００…ＳＩＭカード
【図１】
2014050089.tif 000003
【図２】
2014050089.tif 000004
【図３】
2014050089.tif 000005
【図４】
2014050089.tif 000006
【図５】
2014050089.tif 000007
【図６】
2014050089.tif 000008
【図７】
2014050089.tif 000009
【図８】
2014050089.tif 000010
【図９】
2014050089.tif 000011
【図１０】
2014050089.tif 000012
【図１１】
2014050089.tif 000013
【図１２】
2014050089.tif 000014